(57)【要約】    【課題】  ディジタル放送やインターネット等の発達に伴い、未成年者への番組制限が重要な課題となっている。また、お酒やタバコの販売に関しても、現在は自動販売機での夜間販売を中止しているが、未成年者への販売を完全に防止することはできない。    【解決手段】  ＩＣカードを用いた電子財布システムを応用することによって上記課題を達成する。ＩＣカード１９内には、金額情報２４と共にＩＣカード１９の所有者の年令情報２６が格納される。そのため、上述のように未成年者との取引を制限しなければならない商取引を行う際に、デコーダ１１側は、カード所有者の年令情報２６を識別することで、未成年者と判断される場合は取引を禁止することによって、商取引における年令制限を実現した。    【選択図】  図１
2006309786.tif 000002
【特許請求の範囲】
【請求項１】
電子マネー情報及びＩＣカード所有者の年令情報と共に、暗号化されたデータ信号を復
号化するための暗号鍵信号を格納するＩＣカードと、
該ＩＣカードの情報の読み取り及び書き込みを行うＩＣカード読み書き手段、該ＩＣカ
ードの装着及び排出を制御するＩＣカード制御手段、希望の番組を選択する入力手段、該
番組を構成する映像、音声及びデータ信号を復号化する復号化手段、及び該復号化の可否
を判断する演算処理手段を有するデコーダ装置とを有し、
該入力手段により希望の番組が選択されると、該ＩＣカード読み書き手段によって該Ｉ
Ｃカードから該番組の料金に相当する電子マネーを減額すると共に、該暗号鍵信号を用い
て該復号化手段により該映像、音声及びデータ信号を復号化することを特徴とする電子財
布応用システム。
【請求項２】
請求項１記載の電子財布応用システムにおいて、前記演算処理手段で判断することによ
り、前記ＩＣカードの年令情報が該番組の視聴可能な年令に相当した場合のみ、前記復号
化手段により前記映像、音声及びデータ信号を復号化されることを特徴とする電子財布応
用システム。
【請求項３】
電子マネー情報と暗号化されたデータ信号を復号化するための暗号鍵信号を格納するＩ
Ｃカードと、
該ＩＣカードの情報を読み取り及び書き込みを行うＩＣカード読み書き手段、該ＩＣカ
ードの装着及び排出を制御するＩＣカード制御手段、希望の番組を選択する入力手段、該
番組を構成する映像、音声、データ信号を復号化する復号化手段、該復号化の可否を判断
する演算処理手段、及び公衆回線網を介してセンターと情報を送受する回線制御手段を有
するデコーダ装置とを有し、
該入力手段により希望の番組を選択されると、該ＩＣカード読み書き手段によって該Ｉ
Ｃカードから該番組の料金に相当する電子マネーが減額されると共に、該暗号鍵信号を用
いて該復号化手段により該映像、音声及びデータ信号が復号化されることを特徴とする電
子財布応用システム。
【請求項４】
請求項３記載の電子財布応用システムにおいて、前記回線制御手段により、前記センタ
ーに格納された前記ＩＣカード所有者の年令情報を受信すると共に、前記演算処理手段で
判断することにより、前記年令情報が該番組の視聴可能な年令に相当した場合のみ、前記
復号化手段により該映像、音声及びデータ信号を復号化されることを特徴とする電子財布
応用システム。
【請求項５】
電子マネー情報とＩＣカード所有者の年令情報を格納するＩＣカードと、
該ＩＣカードの情報を読み取り及び書き込みを行うＩＣカード読み書き手段、該ＩＣカ
ードの装着及び排出を制御するＩＣカード制御手段、商品を選択する入力手段、該商品の
金額値に相当する電子マネー情報を格納する売上金額情報記憶手段、該商品の取り出しを
制御する商品取り出し制御手段、及び該商品の販売の可否を判断する演算処理手段を有す
る自動取引端末装置とを有し、
該入力手段により希望の商品を選択されると、該ＩＣカード読み書き手段によって該Ｉ
Ｃカードから該商品の金額値に相当する電子マネーが減額されて該売上金額情報記憶手段
に格納されると共に、該商品取り出し制御手段により該商品が該自動取引端末装置から取
り出されることを特徴とする電子財布応用システム。
【請求項６】
請求項５記載の電子財布応用システムにおいて、該演算処理手段で判断することにより
、該ＩＣカードの年令情報が該商品の販売可能な年令に相当した場合のみ、該商品取り出
し制御手段により該商品を取り出すことができることを特徴とする電子財布応用システム
。
【請求項７】
電子マネー情報とＩＣカード所有者の年令情報を格納するＩＣカードと、
該ＩＣカードの情報を読み取り及び書き込みを行うＩＣカード読み書き手段、該ＩＣカ
ードの装着及び排出を制御するＩＣカード制御手段、入場チケットを発行する発行手段、
該入場チケットの料金を計算する演算処理手段、該料金に相当する電子マネー情報を格納
する売上金額情報記憶手段を有する自動取引端末装置とを有し、
該ＩＣカード制御手段により該ＩＣカードが該自動取引端末装置に挿入されると、該Ｉ
Ｃカード読み書き手段によって該ＩＣカードから入場チケットの料金に相当する電子マネ
ーを減額して該売上金額情報記憶手段に格納されると共に、該発行手段により該入場チケ
ットを発行することを特徴とする電子財布応用システム。
【請求項８】
請求項７記載の電子財布応用システムにおいて、該ＩＣカード制御手段により該ＩＣカ
ードを該自動取引端末装置に挿入されると、該ＩＣカードの年令情報が読み取られて、該
演算処理手段により該入場チケットの料金が計算されることを特徴とする電子財布応用シ
テム。
【請求項９】
少なくとも所有者の属性情報を格納するＩＣカードの情報の読み取りを行うＩＣカード
読み取り手段、
該ＩＣカードの装着及び排出を制御するＩＣカード制御手段、
希望の取引を選択する入力手段、
該入力手段により希望の取引が選択された際に、該取引を許可すべきか否かを
、前記ＩＣカード読み取り手段によって読み取られた該属性情報によって、判別する判別
手段、及び
該判別手段によって、該取引を許可すべきと判別されたときに、該取引に付随した制御
を開始する制御手段を、
設けたことを特徴とするＩＣカードを用いた取引装置。
【請求項１０】
前記属性情報には、当該所有者の年齢情報が含まれることを特徴とする請求項９記載の
ＩＣカードを用いた取引装置。
【請求項１１】
前記年齢情報は、当該所有者の生年情報であることを特徴とする請求項１０記載のＩＣ
カードを用いた取引装置。
【請求項１２】
前記判別手段は、前記選択された取引が適法か否かを前記属性情報によって判別するこ
とを特徴とする請求項９記載のＩＣカードを用いた取引装置。
【発明の詳細な説明】
【技術分野】
【０００１】
本発明は、電子財布システムを用いて商取引を行う際に、ＩＣカード内に電子マネー情
報と共に所有者の年令情報を持たせるようにした電子財布応用システムに関するものであ
る。
【背景技術】
【０００２】
現在、お酒やタバコの自動販売機では現金により精算が行われているが、未成年者が購
入をしようとした場合に販売を中止することができないため、夜間は販売を中止するなど
の対策を行っている。また、ＣＳ放送やＣＡＴＶなどでのペイＴＶ放送では、視聴者が選
択した番組の料金がクレジットカードを使って銀行から引き落とされるが、この場合も子
供が成人向けの番組を見ることができないようにするために暗証番号を入力させるなどの
対策を行っている。しかしながら、上記いずれの場合も未成年者への販売を完全に防止す
ることはできない。
【０００３】
一方、特開平３−９２９６６号公報に記載されているように、ＩＣカードを使用した電
子財布システムにより商取引の完全なチャッシュレス化が検討されている。これは、ＩＣ
カード内のメモリに任意に指定された金額情報を書き込み、精算時にはＩＣカードから必
要な金額情報を送信することで、現金を用いずに商取引を完了させることができるシステ
ムである。
【発明の開示】
【発明が解決しようとする課題】
【０００４】
この電子財布システムによる商取引が実現した場合、ＩＣカード内には電子マネー情報
と共に年令などのカード所有者の個人情報を持たせることが可能となる。
【０００５】
そのため、精算時にこの年令情報を識別することにより、未成年者への販売を自動的に
防止することが可能となる。また、本発明は、鉄道やバスなどの運賃や劇場などの入場料
金のように大人と子供で料金が異なる場合の精算にも応用することができる。
【課題を解決するための手段】
【０００６】
上記目的を達成するために、本発明では、電子マネー情報とＩＣカード所有者の年齢又
は生年月日等の年令情報を格納するＩＣカードと、該ＩＣカードの情報を読み取り、書き
込みを行うＩＣカード読み書き手段と、該ＩＣカードの装着及び排出を制御するＩＣカー
ド制御手段と、商品を選択する入力手段と、該商品の金額値に相当する電子マネー情報を
格納する売上金額情報記憶手段と、該商品の取り出しを制御する商品取り出し制御手段と
、該商品の販売の可否を判断する演算処理手段とを有する自動取引端末装置から構成する
。
【０００７】
そして、該演算処理手段で判断した結果、該ＩＣカードの所有者の年令情報が希望する
商品の販売可能な年令に相当した場合のみ、該ＩＣカードから該商品の金額値に相当する
電子マネーを減額して該売上金額情報記憶手段に格納すると共に、該商品取り出し制御手
段により該商品を該自動取引端末装置から取り出す。
【０００８】
以上のように、本発明ではＩＣカード内に電子マネー情報と共にカード所有者の年令情
報を持たせることにより、商取引時にこの年令情報を識別して料金精算を行うことが可能
となる。そのため、お酒やタバコなどの未成年者への販売を防止することが可能となる。
また、ペイＴＶ放送では、視聴者のＩＣカードの残高不足時やＩＣカード所有者の年令が
番組の年令制限にかかる場合に自動的にスクランブルの解除を中断することができる。さ
らに、鉄道やバスなどの運賃や劇場などの入場料金の様に、大人と子供で料金が異なる場
合の精算時にも応用することができる。
【発明の効果】
【０００９】
本発明によれば、ＩＣカード内に電子マネー情報と共にカード所有者の年令情報を持た
せることにより、商取引時にこの年令情報を識別して料金精算を行うことが可能となる。
そのため、ペイＴＶ放送では、視聴者のＩＣカードの残高不足時やＩＣカード所有者の年
令が番組の年令制限にかかる場合に自動的にスクランブルの解除を中断することができる
。また、お酒やタバコなどの未成年への販売を防止することも可能となる。さらに、鉄道
やバスなどの運賃や劇場などの入場料金の精算時にも応用することができる。
【発明を実施するための最良の形態】
【００１０】
本発明の実施例を図１〜図９を用いて説明する。
【００１１】
図１は本発明を用いたペイＴＶ放送システムの一実施例であり、映像、音声及びデータ
信号のスクランブルを解除するための暗号鍵情報と料金決済を行うための金額情報を１枚
のＩＣカードに納めたシステムである。また、このシステムでは上記ＩＣカードに所有者
の年齢又は生年月日等の年令情報を持たせると共に、ペイＴＶ放送で同時に送られてくる
年令制限の情報を利用することにより、残高不足時や子供が成人向けの番組を見ようとし
た時には自動的に上記暗号鍵を使用できなくすることが可能である。その結果、スクラン
ブルは解除されず、視聴者はその番組を見ることができない。
【００１２】
１は放送事業者、管理会社、２は映像、音声、データ信号バンク、３はスクランブル部
、４はスクランブル鍵及び番組情報の暗号化部、５はスクランブル鍵情報記憶部、６は番
組情報記憶部、７は暗号鍵記憶部、８は送信アンテナ、９は通信衛星、１０は受信アンテ
ナ、１１はデコーダ部、１２はチューナ部、１３はデスクランブル部、１４はシステム制
御部、１５は回線制御部、１６はＩＣカード制御部、１７は入力部、１８は接続部、１９
はＩＣカード、２０は接続部、２１はスクランブル鍵及び番組情報の復号化部、２２は暗
号鍵記憶部、２３は金額決済処理部、２４は金額情報記憶部、２５はＩＤ情報記憶部、２
６は年令情報記憶部である。
【００１３】
なお、本実施例では、通信衛星を用いて放送事業者から視聴者に情報を伝達しているが
、ＶＨＦ、ＵＨＦなどの地上波による放送やＣＡＴＶなどのケーブルを用いた放送でも構
わない。
【００１４】
まず始めに、放送事業者、管理会社側の詳細を説明する。視聴者に伝達する映像、音声
、データ信号はデータバンク２から出力されて、スクランブル部３で暗号化される。この
場合、各信号は、スクランブル鍵情報記憶部５に格納されたスクランブル鍵により、あら
かじめ定められた規則で暗号化される。
【００１５】
また、このスクランブル鍵と共に、番組情報記憶部６に格納された番組案内や契約情報
などの番組情報がスクランブル鍵及び番組情報の暗号化部４で暗号化される。この場合も
、暗号化の際には暗号鍵記憶部７に格納された暗号鍵により、一定の規則で暗号化される
。なお、送信する番組に年令制限がある場合には、年令制限の情報が上記番組情報として
暗号化される。
【００１６】
これらの暗号化されたデータは、送信アンテナ８により通信衛星９に送信され、その後
、通信衛星から視聴者側に再送信される。
【００１７】
次に、視聴者側の詳細を説明する。視聴者はＩＣカード１９をデコーダ１１に挿入する
ことにより、サービスを受けることが可能となる。まず、通信衛星から送信された各種デ
ータは、受信アンテナ１０により受信されてデコーダ１１に供給される。この中で、スク
ランブル部３で暗号化されたデータはチューナ部１２で処理されるが、スクランブル鍵及
び番組情報の暗号化部４で暗号化されたデータはＩＣカード内のスクランブル鍵及び番組
情報の復号化部２１で処理される。
【００１８】
なお、復号化部２１での処理の際には、暗号鍵記憶部２２に格納された暗号鍵により定
められた規則で復号化される。この暗号鍵は管理会社により一括管理されているため、管
理会社と契約をしていない視聴者は復号化部２１でデータを復号化することはできない。
【００１９】
スクランブル鍵及び番組情報の復号化部２１で復号化されたデータの中で、スクランブ
ル鍵情報はデスクランブル部１３に供給されるが（Ａ１）、番組案内や契約情報などのデ
ータはシステム制御部１４に供給された後に（Ａ２）、デコーダから出力されて（Ｂ４）
、ＴＶの画面に表示される。また、番組に年令制限の情報がある場合にはこのデータもシ
ステム制御部１４に供給される（Ａ２）。
【００２０】
視聴者がこの番組案内で見たい番組を選び入力部１７で選択すると、システム制御部１
４から出力される制御信号により（Ｂ１）、視聴者の選択した番組のみがチューナ部１２
で抽出されてデスクランブル部１３にデータが供給される。このデータはスクランブル鍵
により一定の規則で復号化されてデコーダ１１から出力されるため、視聴者はＴＶなどで
選択した番組を楽しむことができる。
【００２１】
ここで、番組受信の際の料金決済について説明する。ＩＣカード１９内には金額情報の
記憶部２４があり、番組を選択時に視聴者が支払いに同意すると自動的に記憶部２４から
料金が引き落とされて、その電子マネー情報が金額決済処理部２３、システム制御部１４
及び回線制御部１５を介して管理会社や銀行に送金される。
【００２２】
ところで、料金決済時にＩＣカード内の残金が不足している場合は、金額決済処理部２
３から制御信号がシステム制御部１４に供給される。また、選択した番組の年令制限など
のデータは、スクランブル鍵及び番組情報の復号化部２１からシステム制御部１４に供給
される（Ａ２）と共に、年令情報記憶部２６に格納されたＩＣカード所有者の年令情報が
、金額決済処理部２３からシステム制御部１４に供給される。そのため、ＩＣカードの残
高不足時や視聴者の選択した番組が年令制限にかかる場合は、システム制御部１４から出
力される制御信号（Ｂ２）により、自動的にデスクランブル部１３での復号化が禁止され
、視聴者はその番組を見ることができない。なお、この場合は、システム制御部１４が制
御信号を出力するため（Ｂ３）、ＩＣカード１９がカード制御部１６により自動的に排出
されて処理が終了する。
【００２３】
図２には上記実施例での視聴者側の操作フローを示す。これを用いて、上記の料金決済
や年令制限の詳細を説明する。
【００２４】
視聴者がＩＣカード１９をデコーダ１１に挿入すると（Ｓ１０１）、番組のメニューが
ＴＶ画面に表示される（Ｓ１０２）。その後、見たい番組を選択すると（Ｓ１０３）、料
金がＴＶ画面に表示される（Ｓ１０４）。ここで、視聴者が料金の支払いに同意すると（
Ｓ１０５）、ＩＣカード内の残高が読み取られる（Ｓ１０６）。次に、この残高値で料金
の支払いが可能かどうかの判断が金額決済処理部２３で行われるが（Ｓ１０７）、支払い
が出来ない場合はシステム制御部１４から残高不足の表示が出力された後に（Ｓ１１５）
、ＩＣカードが排出されて（Ｓ１１３）、処理が終了する。
【００２５】
一方、支払いが可能な場合は、次に、ＩＣカード内の年令情報が読み取られる（Ｓ１０
８）。その後、視聴者の年令が選択した番組の年令制限にかかるかどうかの判断がシステ
ム制御部１４で行われるが（Ｓ１０９）、年令制限にかからない場合はＩＣカードの残高
が更新された後に（Ｓ１１０）、デスクランブル部１３でデータが復号化されてスクラン
ブルが解除される（Ｓ１１１）。また、年令制限にかかる場合は、年令制限のため視聴で
きない旨がＴＶ画面に表示された後に（Ｓ１１６）、ＩＣカードが排出されて（Ｓ１１３
）、処理が終了する。
【００２６】
番組が終了すると、続けて視聴するかどうかの表示がＴＶ画面に出力される（Ｓ１１２
）。ここで、続けて視聴する場合は再度番組のメニューが表示されるが（Ｓ１０２）、視
聴しない場合はＩＣカードが排出されて（Ｓ１１３）、処理が終了する。
【００２７】
上記のように、本実施例では、映像、音声、データ信号のスクランブルを解除するため
の暗号鍵情報と料金決済を行うための金額情報と共に、ＩＣカード所有者の年令情報を１
枚のＩＣカードに納めることにより、残高不足時やカード所有者の年令が番組の年令制限
にかかる場合などは自動的にスクランブルの解除を中断することができる。
【００２８】
なお、上記実施例では、視聴者のＩＣカードと管理会社や銀行のＩＣカード間で料金の
やり取りを行うが、デコーダ１１内にＩＣカードを設けて送金された電子マネーをデコー
ダ内に一度格納するようにしてもよい。また、選択した番組の年令制限の情報は番組情報
として送られてきたが、映像、音声、データ信号バンク２の出力信号に付加してもよい。
この場合、デスクランブル部１３から出力されるデータから年令制限の情報のみをシステ
ム制御部１４に供給して、かつ、その他の映像、音声、データ信号をバッファに一度格納
後にデコーダ１１から出力する構成とする。そのため、年令制限で視聴不可の場合は、シ
ステム制御部１４からの制御信号で上記バッファの動作を止めることにより、デコーダ１
１からの出力を止めることができる。
【００２９】
次に、図３には本発明を用いた自動販売機の１実施例を示す。この場合も、ＩＣカード
内の金額情報により料金の決済を行う。また、お酒やタバコの自動販売機などでは、ＩＣ
カードに格納されたカード所有者の年令情報を用いることにより、未成年者への販売を自
動的に中止することが可能となる。
【００３０】
３０はＩＣカード、３１は金額情報記憶部、３２はＩＤ情報記憶部、３３は年令情報記
憶部、３４は金額決済処理部、３５は接続部、３６は自動販売機、３７は表示部、３８は
入力部、３９は接続部、４０は金額決済処理部、４１は回線制御部、４２はカード制御部
、４３は売上金額記憶部、４４は商品取り出し制御部である。
【００３１】
ここでは、お酒の自動販売機を例に説明する。客がＩＣカード３０を自動販売機３６に
挿入して、希望の商品を入力部３８により選択すると、ＩＣカード内の金額情報記憶部３
１から料金が引き落とされて、自動販売機内の売上金額記憶部４３にその電子マネー情報
が格納される。その後、この売上金額は回線制御部４１を介して管理会社や銀行などに送
金される。
【００３２】
なお、料金決済時にＩＣカード内の残高が不足している場合や、年令情報記憶部３３に
格納された年令情報が商品の年令制限にかかる場合などは、制御信号（Ａ２）が商品取出
し制御部４４に供給されるため、自動的に商品の取り出しが中止される。また、この場合
は取引中止の旨が表示部３７に表示されると共に、制御信号（Ａ１）がカード制御部４２
にも供給されるため、ＩＣカード３０がカード制御部４２により自動的に排出されて処理
が終了する。
【００３３】
図４には上記実施例での客の操作フローを示す。これを用いて、上記の料金決済や年令
制限の詳細を説明する。
【００３４】
客がＩＣカード３０を自動販売機３６に挿入後（Ｓ２０１）、購入する商品を入力部３
８により選択すると（Ｓ２０２）、表示部３７に料金が表示される（Ｓ２０３）。ここで
、客が料金の支払いに同意すると（Ｓ２０４）、ＩＣカード内の残高が読み取られる（Ｓ
２０５）。その後、読み取った残高値で料金の支払いが可能かどうかの判断が金額決済処
理部４０で行われるが（Ｓ２０６）、支払いが出来ない場合は残高不足の表示が出力され
た後（Ｓ２１４）に、ＩＣカードが排出されて（Ｓ２１２）、処理が終了する。
【００３５】
一方、支払が可能な場合は、次に、ＩＣカード内の年令情報が読み取られる（Ｓ２０７
）。ここで、客の年令が選択した商品の年令制限にかかるかどうかの判断が金額決済処理
部４０で行われるが（Ｓ２０８）、年令制限にかからない場合はＩＣカードの残高が更新
された後に（Ｓ２０９）、購入した商品が取り出される（Ｓ２１０）。その後、続けて購
入する場合は再度商品の選択を行うが（Ｓ２０２）、購入しない場合はＩＣカードが排出
されて（Ｓ２１２）、処理が終了する。また、年令制限にかかる場合は、年令制限のため
販売出来ない旨が表示された後に（Ｓ２１５）、ＩＣカードが排出されて（Ｓ２１２）、
処理が終了する。
【００３６】
以上により、例えばお酒の自動販売機では、残高不足時や未成年者がお酒を購入しよう
とした時に自動的に販売が中止される。
【００３７】
次に図５には、本発明を用いた自動販売機のその他の実施例を示す。４５はチケット発
行部である。
【００３８】
劇場や遊園地などの入場券は子供と大人で料金が異なるが、本発明では自動的に入場者
を識別して料金を徴収することが可能となる。なお、本実施例ではＩＣカード３０を自動
販売機３６に挿入して精算を行うが、非接触のＩＣカードを用いてゲートを通過するだけ
で料金精算を行うシステムにおいても本発明を実施することができる。
【００３９】
図６には上記実施例での客の操作フローを示す。これを用いて、上記の料金決済の詳細
を説明する。
【００４０】
客がＩＣカード３０を自動販売機３６に挿入すると（Ｓ３０１）、まず、ＩＣカード内
の年令情報３３が読み取られる（Ｓ３０２）。この年令情報により、金額決済処理部４０
はカード所有者が支払う料金を計算して、その料金を表示部３７に表示する（Ｓ３０３）
。客が表示された料金の支払に同意すると（Ｓ３０４）、次にＩＣカードの残金が読み取
られる（Ｓ３０５）。その後、読み取った残高値で料金の支払が可能かどうかの判断が金
額決済処理部４０で行われるが（Ｓ３０６）、支払いが出来ない場合は残高不足の表示が
出力された後（Ｓ３１１）に、ＩＣカードが排出されて（Ｓ３０９）、処理が終了する。
【００４１】
一方、支払いが可能な場合は、ＩＣカードの残高が更新された後に（Ｓ３０７）入場チ
ケットが発行される（３０８）。その後、ＩＣカードが排出されて（Ｓ３０９）、処理が
終了する。
【００４２】
なお、上記実施例ではＩＣカード所有者のチケットを１枚のみ購入することができるが
、複数枚のチケットを購入する場合には、入力部３８により枚数を指定することにより可
能となる。
【００４３】
次に、図７を用いてＩＣカード内の年令情報の更新の１例を説明する。ＩＣカード内の
年令情報記憶部には、所有者の具体的な年令あるいは１０代、２０代などの情報を記憶す
るが、所有者のプライバシを守るために、本実施例では生年月日の情報は記憶しないもの
とする。一方、銀行に口座を開設する際には、生年月日などの個人情報を銀行側に登録す
るため、図７の実施例では銀行にアクセス時にカードの年令情報の照合及び更新を行う。
【００４４】
ＩＣカードに電子マネーを入金する場合を例に説明する。カードを銀行のＡＴＭに挿入
するか（Ｓ４０１）あるいは電話回線を用いて銀行にアクセスすると、始めに、暗証番号
の入力を行い（Ｓ４０２）、入力した暗証番号が表示される（Ｓ４０３）。次に、銀行口
座から引き出す金額を入力すると（Ｓ４０４）、その金額が表示される（Ｓ４０５）。
【００４５】
ここで、上記暗証番号と銀行に登録された暗証番号の照合が行われて（Ｓ４０６）、一
致しない場合はＩＣカードが排出されて（Ｓ４１１）、処理が終了する。また、一致する
場合は口座からの引き出しが可能かどうかの判断が行われて（Ｓ４０７）、出金可能な場
合はＩＣカードの残金と銀行口座の残高が更新された後に（Ｓ４０８）、ＩＣカードの年
令情報が読み取られる（Ｓ４０９）。一方、出金できない場合は口座の残高が不足してい
る旨が表示された後に（Ｓ４１３）、ＩＣカードが排出されて（Ｓ４１１）、処理が終了
する。
【００４６】
ＩＣカードの年令情報が読み取られると銀行に登録された所有者の生年月日の情報との
照合が始まり、修正が必要な場合のみＩＣカードの年令情報が更新される（Ｓ４１０）。
その後、ＩＣカードは排出されて（Ｓ４１１）処理が終了する。
【００４７】
以上により、ＩＣカード内の所有者の年令情報は銀行にアクセス時のみ修正が行われる
。なお、ＩＣカードに生年月日の情報を持たせて、銀行のＡＴＭや店のＰＯＳ端末などの
ように時計を内蔵している機器にアクセス時には、常に年令の照合及び更新を行うように
してもよい。
【００４８】
一方、上記のようにＩＣカードの年令情報を更新可能にすると不正に改ざんすることも
考えられる。そこで、ＩＣカードの年令情報は更新不可とするが、ＩＣカード自体に期限
を持たせることによって、カード更新時に所有者の年令情報を更新するようにしてもよい
。
【００４９】
次に、図８を用いてＩＣカード間でのデータのやり取りの１例について説明する。この
場合、ＩＣカード内にはＩＤ番号、所有者明、年令などの基本データと金額、暗号情報（
暗号鍵）などの金額データが格納されている。ＩＣカード間で電子マネーの授受を行う場
合、まず始めに支払い側と受取り側の間で上記基本データの交換が行われて、取り引き相
手の確認などを行う（Ａ）。その後、電子マネーの送金金額などの情報が暗号鍵を用いて
暗号化され、その暗号化されたデータが支払い側と受取り側の間でやり取りされる（Ｂ）
。
【００５０】
以上により、金額の授受を行う場合には必ず所有者の年令情報も伝送されるため、この
年令情報を基に年令制限、料金識別などを自動的に行うことが可能となる。なお、上記の
ようにＩＤ番号と年令のデータを別々に格納せずにＩＣカードのＩＤ番号自体に年令情報
を付加してもよい。
【００５１】
最後に、図９を用いて年令情報の他の格納方法を説明する。図１〜図８の実施例では、
ＩＣカード内にカード所有者の年令情報を格納して、商取引時にＩＣカードにアクセスし
て年令の照合を行った。しかしながら、カード所有者の年令情報は銀行や管理会社に格納
して、商取引時に必要に応じて銀行や管理会社にアクセスすることで年令情報の照合を行
うことも可能である。図９に示すペイＴＶ放送システムの場合、カード所有者の年令情報
は、回線を通して銀行や管理会社から回線制御部１５に供給される。その後、この年令情
報はシステム制御部１４に供給されるため、必要に応じてデスクランブル部１３の動作を
止めることが可能となる。
【００５２】
この場合、ＩＣカードに所有者の個人情報を格納しないため、ＩＣカード紛失時にカー
ド所有者のプライバシを守ることが可能となる。また、カード所有者の情報を随時変更す
ることができるので、カード所有者の年令情報以外にも様々なデータを付加して、例えば
カード紛失時の不正使用を防止することや、ブラックリストに載った人がカードを使用し
ようとした場合に即時にカードの使用を停止することなどができる。また、カード所有者
のカード使用状況を銀行や管理会社に記憶することで、カードを頻繁に使用する得意客に
各種のプレミアムサービスを行うこともできる。
【００５３】
また、年令情報の代わりに使用者が保持する免許の種別などを、ＩＣカード等に記憶さ
せても良い。このようにすれは、購入時に特定の免許が必要な物品等でもＩＣカードでの
取引が可能になる。
【図面の簡単な説明】
【００５４】
【図１】本発明をペイＴＶ放送の精算時に応用した場合の一実施例である。
【図２】本発明をペイＴＶ放送の精算時に応用した場合の視聴者側の操作フローの一例である。
【図３】本発明をお酒やタバコの自動販売機に応用した場合の一実施例である。
【図４】本発明をお酒やタバコの自動販売機に応用した場合の客の操作フローの一例である。
【図５】本発明を劇場などの入場券の自動販売機に応用した場合の一実施例である。
【図６】本発明を入場券の自動販売機に応用した場合の客の操作フローの一例である。
【図７】本発明でのＩＣカード内の年令情報を更新する一実施例である。
【図８】本発明でのＩＣカード間でのデータのやり取りの一例である。
【図９】本発明をペイＴＶ放送の精算時に応用した場合のその他の実施例である。
【符号の説明】
【００５５】
１…放送事業者、管理会社、
２…映像、音声、データ信号バンク、
３…スクランブル部、
４…スクランブル鍵及び番組情報の暗号化部、
５…スクランブル鍵情報記憶部、
６…番組情報記憶部、
７…暗号鍵記憶部、
８…送信アンテナ、
９…通信衛星、
１０…受信アンテナ、
１１…デコーダ部、
１２…チューナ部、
１３…デスクランブル部、
１４…システム制御部、
１５…回線制御部、
１６…ＩＣカード制御部、
１７…入力部、
１８…接続部、
１９…ＩＣカード、
２０…接続部、
２１…スクランブル鍵及び番組情報の復号化部、
２２…暗号鍵記憶部、
２３…金額決済処理部、
２４…金額情報記憶部、
２５…ＩＤ情報記憶部、
２６…年令情報記憶部、
３０…ＩＣカード、
３１…金額情報記憶部、
３２…ＩＤ情報記憶部、
３３…年令情報記憶部、
３４…金額決済処理部、
３５…接続部、
３６…自動販売機、
３７…表示部、
３８…入力部、
３９…接続部、
４０…金額決済処理部、
４１…回線制御部、
４２…カード制御部、
４３…売上金額記憶部、
４４…商品取り出し制御部、
４５…チケット発行部。
【図１】
2006309786.tif 000003
【図２】
2006309786.tif 000004
【図３】
2006309786.tif 000005
【図４】
2006309786.tif 000006
【図５】
2006309786.tif 000007
【図６】
2006309786.tif 000008
【図７】
2006309786.tif 000009
【図８】
2006309786.tif 000010
【図９】
2006309786.tif 000011
【手続補正書】
【提出日】平成18年7月13日(2006.7.13)
【手続補正２】
【補正対象書類名】特許請求の範囲
【補正対象項目名】全文
【補正方法】変更
【補正の内容】
【特許請求の範囲】
【請求項１】
電子マネー情報とＩＣカード所有者の年令情報を格納するＩＣカードの情報の読み書きを行うＩＣカード読み書き手段と、
該ＩＣカードの装着及び排出を制御するＩＣカード制御手段と、
入場チケットを発行する発行手段と、
該入場チケットの料金を計算する演算処理手段と、
該料金に相当する電子マネー情報を格納する売上金額情報記憶手段と、を有する取引装置において、
該ＩＣカード制御手段により該ＩＣカードが該取引装置に挿入されると、該ＩＣカード読み書き手段によって、該ＩＣカードの年令情報を読み取り、該演算処理手段により該年令情報に応じた該入場チケットの料金を計算し、該ＩＣカードから入場チケットの料金に相当する電子マネーを減額して該売上金額情報記憶手段に格納し、該発行手段により該入場チケットを発行することを特徴とする取引装置。
【請求項２】
前記年令情報により子供と大人の料金に相当する入場チケットの料金を自動的に徴収することを特徴とする請求項１記載の取引装置。
【請求項３】
電子マネー情報とＩＣカード所有者の年令情報を格納するＩＣカードの情報の読み書きを行い、該ＩＣカードの装着及び排出を制御し、入場チケットを発行し、該入場チケットの料金を計算し、該料金に相当する電子マネー情報を格納する取引装置における取引方法において、
該ＩＣカードが該取引装置に挿入されると、該ＩＣカードの年令情報を読み取るステップと、
該読み取った該年令情報に応じた該入場チケットの料金を計算するステップと、
該ＩＣカードから入場チケットの料金に相当する電子マネーを減額して該取引装置内に格納し、該入場チケットを発行するステップと、を有することを特徴とする取引装置における取引方法。
【請求項４】
前記年令情報により子供と大人の料金に相当する入場チケットの料金を自動的に徴収することを特徴とする請求項３記載の取引装置における取引方法。
【請求項５】
少なくとも所有者の属性情報を格納するＩＣカードの情報の読み取りを行うＩＣカード読み取り手段と、
該ＩＣカードの装着及び排出を制御するＩＣカード制御手段と、
希望の取引を選択する入力手段と、
該入力手段により希望の取引が選択された際に、該取引を許可すべきか否かを、前記ＩＣカード読み取り手段によって読み取られた該属性情報によって、判別する判別手段と、
該判別手段によって、該取引を許可すべきと判別したときに、該取引に付随した制御
を開始する制御手段と、を設けたことを特徴とする取引装置。
【請求項６】
前記属性情報には、当該所有者の年令情報が含まれることを特徴とする請求項５記載の
取引装置。
【請求項７】
前記年令情報は、当該所有者の生年情報であることを特徴とする請求項６記載の取引装置。
【請求項８】
前記判別手段は、前記選択された取引が適法か否かを前記属性情報によって判別するこ
とを特徴とする請求項５記載のＩＣカードを用いた取引装置。
【請求項９】
前記属性情報には、当該所有者の保持する免許の情報が含まれることを特徴とする請求項５記載の取引装置。
【請求項１０】
少なくとも所有者の属性情報を格納するＩＣカードの情報の読み取りを行うステップと、
該ＩＣカードの装着及び排出を制御するステップと、
希望の取引を選択する入力ステップと、
該入力ステップにより希望の取引が選択された際に、該取引を許可すべきか否かを、前記読み取られた該属性情報によって、判別する判別ステップと、
該判別ステップによって、該取引を許可すべきと判別したときに、該取引に付随した制御を開始する制御ステップと、を設けたことを特徴とする取引装置における取引方法。
【請求項１１】
前記属性情報には、当該所有者の年令情報が含まれることを特徴とする請求項１０記載の取引装置における取引方法。
【請求項１２】
電子マネー情報を格納するＩＣカードの情報の読み書きを行い、該ＩＣカードの装着及び排出を制御し、入場チケットを発行し、該入場チケットの料金を計算し、該料金に相当する電子マネー情報を格納する取引装置における取引方法において、
該ＩＣカードが該取引装置に挿入されると、該取引装置に接続されたＩＣカード所有者の年令情報が格納されたセンターから該年令情報を読み取るステップと、
該読み取った該年令情報に応じた該入場チケットの料金を計算するステップと、
該ＩＣカードから入場チケットの料金に相当する電子マネーを減額して該取引装置内に格納し、該入場チケットを発行するステップと、を有することを特徴とする取引装置における取引方法。
【請求項１３】
ＩＣカードによる取引を行う取引装置における取引方法において、
該ＩＣカードの情報の読み取りを行うステップと、
該ＩＣカードの装着及び排出を制御するステップと、
希望の取引を選択する入力ステップと、
該取引装置に接続された少なくとも該ＩＣカードの所有者の属性情報を格納するセンターから該属性情報を読み取るステップと、
該入力ステップにより希望の取引が選択された際に、該取引を許可すべきか否かを、前記読み取られた該属性情報によって、判別する判別ステップと、
該判別ステップによって、該取引を許可すべきと判別したときに、該取引に付随した制御を開始する制御ステップと、を設けたことを特徴とする取引装置における取引方法。
【請求項１４】
前記属性情報には、当該所有者の年令情報が含まれることを特徴とする請求項１３記載の取引装置における取引方法。
【請求項１５】
ＩＣカードによる取引を行う取引装置における取引方法において、
該ＩＣカードの情報の読み取りを行うステップと、
該ＩＣカードの装着及び排出を制御するステップと、
希望の取引を選択する入力ステップと、
該取引装置に接続された少なくとも該ＩＣカードの所有者の属性情報を格納するセンターから該属性情報を読み取るステップと、
該入力ステップにより希望の取引が選択された際に、前記読み取られた該属性情報による取引条件の変更を判別する判別ステップと、
該判別ステップによって、該取引条件を変更すべきと判別したときに、該変更した取引条件による取引に付随した制御を開始する制御ステップと、を設けたことを特徴とする取引装置における取引方法。
【請求項１６】
前記属性情報には、当該所有者がブラックリストに載っていることを示す情報が含まれることを特徴とする請求項１５記載の取引装置における取引方法。
【請求項１７】
前記属性情報には、当該所有者のカードの使用状況が含まれることを特徴とする請求項１５記載の取引装置における取引方法。